(57)【要約】  超広帯域（ＵＷＢ）ミリメートル（ミリ）波レーダーシステム（１００）が、制御入力（１０６）、ＧＨｚ信号出力、および周波数制御された出力（１０８）を有する信号源（１０５）を含む。制御ループ（１４６）が、ＧＨｚ信号出力と制御入力との間に結合され、周波数分割器（１１０）と、デジタル制御されたＰＬＬ（１１５）とを含み、ＰＬＬ（１１５）は、信号源の制御入力に結合されたロックされた出力を提供して、離散周波数掃引された、または離散周波数ホップされた、周波数ロックされた出力信号（１１９）を提供する。周波数乗算器（１２７）が、複数のミリ波周波数を出力するために、信号源の周波数制御された出力に結合される。アンテナ（１３４）が、ミリ波周波数を、応答信号を送られることになる表面（１５１）に送信し、そこから反射ミリ波信号を受信する。混合器（１４０）が、反射ミリ波信号とミリ波周波数とを混合し、処理回路（１６５）が、混合出力から、表面に関連した少なくとも１つのパラメータを判定する。
2013510295.tif 000002
【特許請求の範囲】
【請求項１】
制御入力（１０６）、ギガヘルツ（ＧＨｚ）信号出力（１０７）、および複数の周波数制御された信号を提供する周波数制御された出力（１０８）を有する信号源（１０５）と、
前記ＧＨｚ信号出力と前記制御入力との間に結合された制御ループ（１４６）であって、
（ｉ）周波数分割された信号を生成するために、前記ＧＨｚ信号出力に結合された周波数分割器（１１０）、ならびに
（ｉｉ）前記周波数分割器の出力に結合された第１の入力（１１６）、デジタル制御信号を受信するための第２の入力（１１７）、基準周波数信号を受信するための第３の入力（１１８）、および、前記信号源の前記制御入力に結合されたロックされた出力（１１９）であって、前記デジタル制御信号によって周波数掃引された、または周波数ホップされた周波数ロックされた出力信号を提供するロックされた出力（１１９）を有する位相ロックループ（ＰＬＬ）（１１５）
を含む制御ループ（１４６）と、
前記デジタル制御信号を前記ＰＬＬの前記第２の入力に提供するための制御ユニット（１３０）と、
前記信号源の前記周波数制御された出力に結合された周波数乗算器（１２７）であって、複数のミリ波周波数を出力する周波数乗算器と、
前記複数のミリ波周波数を、応答信号を送られることになる表面（１５１）に送信するための、かつ前記表面から反射信号を受信するための少なくとも１つのアンテナ（１３４）と、
前記表面からの前記反射ミリ波信号と前記複数のミリ波周波数とを混合するための混合器（１４０）であって、混合出力を提供する混合器と、
前記混合出力から、前記表面に関連した少なくとも１つのパラメータを判定するために、前記混合器の出力に結合された信号処理回路（１６５）と
を含む超広帯域（ＵＷＢ）ミリメートル（ミリ）波レーダーシステム（１００）。
【請求項２】
前記制御ループ（１４６）が、前記ＰＬＬ出力（１１９）と前記信号源の前記制御入力（１０６）との間に接続された第１の増幅器（１２５）であって、増幅されたＰＬＬ出力信号を生成するために前記周波数ロックされた出力信号を増幅するための第１の増幅器をさらに含む請求項１に記載のシステム。
【請求項３】
前記ＰＬＬ（１１５）と前記第１の増幅器との間に結合されたローパスフィルタ（１２０）をさらに含む請求項２に記載のシステム。
【請求項４】
前記信号源（１０５）が電圧制御発振器（ＶＣＯ）を含む請求項１に記載のシステム。
【請求項５】
前記周波数分割器（１１０）がプリスケーラを含む請求項１に記載のシステム。
【請求項６】
前記ＰＬＬの前記第３の入力（１１８）に結合されており、前記基準周波数信号を前記ＰＬＬに提供する基準周波数源（１２２）であって、水晶発振器、または内部のＰＬＬロックされたクロックに一体化された発振器を含む基準周波数源をさらに含む請求項１に記載のシステム。
【請求項７】
前記混合器（１４０）と前記信号処理回路（１６５）との間に結合されたローパスフィルタ（１４９）であって、前記複数のミリ波周波数と、前記反射ミリ波信号のうちの対応する１つとの間の差信号を、選択的に通すローパスフィルタをさらに含む請求項１に記載のシステム。
【請求項８】
対象の表面までのレベルまたは距離を判定するための周波数変調ＵＷＢミリメートル波レーダー方法であって、
複数の離散した、ステップされたまたはホップされた周波数ミリ波レーダー信号を前記対象の前記表面に送信するステップであって、前記複数のステップされたまたはホップされた周波数ミリ波レーダー信号の帯域幅が＞２ＧＨｚである、送信するステップと、
時間シーケンスにおいて前記表面から反射された、反射ミリ波レーダー信号を受信するステップと、
前記複数の離散した、ステップされたまたはホップされた周波数ミリ波レーダー信号、および前記反射ミリ波レーダー信号のうちのその対応する１つに基づいて、前記レベルまたは距離を判定するステップと
を含む方法。
【請求項９】
前記帯域幅が≧４．０ＧＨｚである請求項８に記載の方法。
【請求項１０】
デジタル制御されたＰＬＬが、前記帯域幅にわたって周波数掃引を制御する請求項８に記載の方法。
【請求項１１】
前記判定するステップが、前記複数の離散した、ステップされたまたはホップされた周波数ミリ波レーダー信号と、前記反射ミリ波レーダー信号のうちのその対応する１つとの間の周波数の差に基づく請求項８に記載の方法。
【請求項１２】
タンクまたは容器の中の液体について、前記レベルを判定するステップを含む請求項８に記載の方法。
【発明の詳細な説明】
【技術分野】
【０００１】
[0001]開示される実施形態は、周波数領域レーダー探知に関する。
【背景技術】
【０００２】
[0002]非接触の電磁検出および電磁探知は、対象の存在もしくはシグネチャ（対象の分類もしくは形状）、または物質の表面までのレベルもしくは距離を判定するために、他の探知方法が確実な、および／または正確な情報を提供するのに困難を有するときに、使用され得る。たとえば、石油産業およびガス産業では、不正確な、または確実でないタンクレベル計測が、タンクレベル測定用途において収益性／収入の著しい損失を招くことがある。バルク貯蔵タンク（直径４０〜８０メートル）におけるレベル計測の１ミリメートル（ミリ）の誤差は、数立方メートルの容積誤差に相当することがある。原油価格は、一般に、少なくとも１５９リットル（１バレル＝４２米ガロン）につき、７０米ドルであることから、１ミリの誤差は、取引および石油移送に関与する１つまたは複数の関係先にとって、数千ドルの損失をもたらすことがある。
【発明の概要】
【発明が解決しようとする課題】
【０００３】
[0003]レーダーは、非接触のレベル測定器の一種として、この数十年間使用されている。しかしながら、レーダー計測は、タンク壁、タンク底部、タンク屋根、ならびに攪拌器、はしご、および熱コイルを含むタンク障害物に起因するような、タンク内部の複数の反射によって影響されることがある。さらに、あらゆるタンクは、一般に、石油の貯蔵および移送のための最大容量を使用しなければならない。計測は、生産物のレベルがタンクの底部または屋根に近づくにつれ、常に確実であることが要求される。
【０００４】
[0004]さらに、従来のレーダーシステムにおける電子部品および誘電材料は、温度に依存する。レーダー計測の安定性は、局地的な気象条件による温度変化、ならびに、中東（たとえば非常に高温）、または北極地方（たとえば非常に低温）などにおける、設置基盤が配置される地理的位置の大規模な多様性によって、影響されることがある。実際の利用においては、限定されたタンクノズルの数が、より大きなサイズのデバイスの設置を強いることがあり、可能な追加のノズルがあるとしても、大きなサイズのユニットのコストは上昇することになる。したがって、温度ドリフトに対する再較正の必要性、および障害物の干渉のために、あいにくレーダーレベル測定器の定期的な現場メンテナンスは必須であり、それが顧客および／またはサプライヤにとっての余分なコストを招く。
【０００５】
[0005]本概要は、３７Ｃ．Ｆ．Ｒ．§１．７３に準拠して提供される。本概要は、特許請求の範囲または意味を解釈する、または限定するために使用されるのではないという理解を有して提出される。
【課題を解決するための手段】
【０００６】
[0006]本明細書で説明される開示される実施形態は、ミリメートル（ミリ）波周波数において高分解能能力を提供する超広帯域（ＵＷＢ）レーダーシステムを含む。本明細書で定義されるように、ＵＷＢは、少なくとも０．５ギガヘルツ（ＧＨｚ）の帯域幅、または少なくとも２５％の比帯域幅を指し、ミリ波は、３０ＧＨｚから３００ＧＨｚまでの範囲の周波数における信号を指す。
【０００７】
[0007]典型的な実施形態において、システム動作中、レーダー周波数は、数十ミリ秒において、典型的には４０から１００ミリ秒の時間の長さにおいて、少なくとも２ＧＨｚの、たとえば４ＧＨｚの帯域幅で掃引される。
【０００８】
[0008]超大規模な帯域幅が、安定した信号源を使用して掃引される。掃引周波数は、各周波数において、位相ロックループ（ＰＬＬ）によって制御され、−４０℃から＋８５℃までなどの、広い範囲の温度にわたって安定化され得る。温度変化の影響は、安定した水晶発振器などの、ＰＬＬのための単一の基準周波数源によって全体的に抑制される。
【０００９】
[0009]当技術分野で知られるように、距離分解能は、送信される信号帯域幅、システム掃引時間に依存する受信機帯域幅、および伝播媒体に基づく。４ＧＨｚ信号帯域幅では、結果として得られる距離分解能は、４センチメートルと同等、またはそれよりもよい。約４センチメートル、またはそれよりよい高い距離分解能は、センサのための高い分解された力につながる。掃引される周波数の広帯域は、７５ＧＨｚから８５ＧＨｚの間（ＥＮ３０２３７２による、レベル測定用途のためにヨーロッパにおいて現在許容される帯域）などの、ミリ波範囲におけるさまざまな周波数を利用することができる。
【００１０】
[00010]高い周波数動作のために、レーダーアンテナは、小さなノズルの中に収まるように小型化されることが可能であり、典型的な実施形態では、レドームとアンテナとを合わせて、１００ミリ未満の横方向寸法、および１００ミリ未満の全長を有する。開示される実施形態は、上の背景技術で説明された問題を概ね克服する。たとえば、下の実施例において実証されるように、高分解能レーダーは、他のレーダーが極度の精度低下に悩まされる、タンク壁の影響の問題を解決する。また、提供される高分解能は、複数の密集した物体（たとえば、障害物）からの干渉を解決することができる。
【図面の簡単な説明】
【００１１】
【図１】[00011]本発明の実施形態による、例示的なＵＷＢミリ波レーダーシステムのブロック図である。
【図２Ａ】[00012]本発明の実施形態による、ハウジングに収められた例示的なＵＷＢミリ波レーダーシステムの断面図である。
【図２Ｂ】本発明の実施形態による、ハウジングに収められた例示的なＵＷＢミリ波レーダーシステムの上面図である。
【図３】[00013]タンク壁の上部に取り付けられた、本発明の実施形態によるミリ波レーダーシステムをテストするために用いられる例示的な計測装置の概略図である。
【図４Ａ】[00014]図３に示されるターゲットが、下の実施例において説明される計測中の可変ステップにおいてどのように動くかを示す図である。
【図４Ｂ】[00015]ターゲットの動きが、下の実施例において説明されるレーダーシステムによってどのように検出され、追跡されるかを示す図である。
【図５Ａ】[00016]以下の実施例において説明されるように、現行のレーダーシステムの約２倍から４倍よい、約４センチメートルの非常に高い距離分解能により、９．５７メートルにおいて検出された対象を示す図である。
【図５Ｂ】[00017]以下の実施例において説明されるように、高性能レーザーの計測精度に匹敵する計測精度を証明する４ＧＨｚＢＷを有するレーダーシステムによって計測された処理データから取得された結果を示す図である。
【発明を実施するための形態】
【００１２】
[00018]開示される実施形態は、添付の図面を参照して説明され、図面において、同様の参照番号が、図面全体を通して、同様のまたは均等な要素を示すために使用される。図面は、一定の縮尺で描かれているのではなく、開示される実施形態を単に図示するために提供される。いくつかの態様が、説明のための例示的な応用を参照して以下で説明される。多数の特定の詳細、関連、および方法が、開示される実施形態の十分な理解を与えるために述べられることが理解されるべきである。しかしながら、関連技術分野の当業者は、開示される実施形態が、１つまたは複数の特定の詳細なしに、あるいは他の方法により実践され得ることを容易に認識するであろう。他の例において、よく知られた構造または作用は、開示される実施形態を曖昧にするのを避けるために、詳細には示されない。いくつかの行為は、異なる順序で、および／または他の行為または事象と同時に発生してもよいことから、開示される実施形態は、行為または事象の図示された順序によって限定されない。さらに、すべての図示された行為または事象が、開示される実施形態に従った方法論を実装するために必要とされるわけではない。
【００１３】
[00019]図１は、本発明の実施形態による、例示的なＵＷＢミリ波レーダーシステム１００のブロック図である。システム１００は、限定はしないが、距離、レベル、およびシグネチャの判定を含む用途に、周波数領域レーダー探知および計測を提供する。
【００１４】
[00020]システム１００は、周波数変調連続波（ＦＭＣＷ）と対比されることがある、ステップ周波数連続波（ＳＦＣＷ）または周波数ホッピングを実装する。ＦＭＣＷは、それぞれ個々の周波数のシステム知識を提供しない、時間に対する連続（線形）周波数掃引を使用するが、全周波数帯域（いわゆる瞬時帯域）を上におよび／または下に掃引するのにかかる時間が比較的短いという点において有利である。それに対して、ＳＦＣＷおよび関連する周波数ホッピングは、離散周波数において実現され、以下で説明されるように、各離散周波数が、安定したコヒーレントな出力信号を確立するための時間と、信号リターン（たとえば、反射）を計測するための時間とを必要とするために、離散周波数はＰＬＬを使用して制御される。したがって、ＳＦＣＷおよび関連する周波数ホッピングは、ＦＭＣＷに比べ、システムパフォーマンスを改善するそれぞれ個々の周波数の知識を提供するものの、一般には、ＦＭＣＷと比較すると、帯域幅を横断するのに時間がかかる。
【００１５】
[00021]信号源１０５は、制御入力１０６、ベースＧＨｚ信号出力１０７、および複数の離散周波数制御されたＧＨｚ信号を提供する周波数制御された出力１０８を有する。図１に関連して説明される実施形態における信号源１０５は、電圧制御発振器（ＶＣＯ）を含むことができる。当技術分野で知られるように、ＶＣＯは、その入力に印加される電圧信号によって、発振器周波数において制御されるように設計された電子発振器である。発振器の周波数は、一般に、印加されるＤＣ電圧の振幅を変えることによって制御される。あるいは、一般的によりコスト高になるものの、信号源１０５は、ダイレクトデジタルシンセサイザ（ＤＤＳ）として具体化されてもよい。
【００１６】
[00022]システム１００は、周波数制御回路１４５を含み、周波数制御回路１４５は、ＧＨｚ信号出力１０７と制御入力１０６との間に結合された制御ループ１４６を含む。制御ループ１４６は、プリスケーラ１１０として示される周波数分割器１１０と、ＰＬＬ１１５と、ループフィルタ１２０と、第１の増幅器１２５（たとえば、演算増幅器）とを含む。
【００１７】
[00023]プリスケーラ１１０は、一般に、ＰＬＬ１１５に提供される周波数分割された信号の出力周波数が、ＰＬＬ１１５が信号を処理するのに十分に低い、≦３ＧＨｚなどであるように、周波数分割を提供する。特定の一例において、ＧＨｚ信号出力１０７は、１５ＧＨｚであり、プリスケーラ１１０は、少なくとも６つ、たとえば８つの周波数分割を提供する。周波数分割器１１０は、プリスケーラを含んで図１に示されるが、周波数分割器１１０は、周波数分割を提供する任意のデバイスをより広く含むことができる。
【００１８】
[00024]プリスケーラ１１０の出力は、ネガティブフィードバックを使用して安定した周波数出力を生成する、本技術分野で知られるようなＰＬＬ１１５に結合される。ＰＬＬ１１５は、一般に、インテジャーおよびフラクショナルの両方のモード演算を提供するデュアルモードＰＬＬである。ＰＬＬ１１５は、プリスケーラ１１０の出力に結合されて周波数分割された信号を受信する第１の入力１１６と、制御ユニット１３０からデジタル制御信号を受信するための第２の入力１１７と、基準周波数生成器１２２から基準周波数信号を受信するための第３の入力１１８とを有し、整定するための時間の後で、ロックされた出力１１９が生成される。ロックされた出力１１９は、ソフトウェアまたはファームウェアにおいてプログラムされてよい、制御ユニット１３０からのデジタル制御信号に基づいて、周波数掃引または周波数ホッピングを制御するための出力信号を提供する。基準周波数生成器１２２は、高い温度安定性を提供する水晶発振器、または内部のＰＬＬロックされたクロックに一体化された発振器を含むことができ、あるいは、合成的にロックされた周波数クロックが、ＰＬＤ、ＦＰＧＡ、および内部に一体化されたＰＬＬクロックを備えたチップなどの他のプログラマブルデバイスから取得されてもよい。第１の増幅器１２５によって提供される出力レベルが、信号源１０５の制御入力１０６への同調電圧レベル範囲（たとえば、０から１０ボルト）を提供することなどによって、信号源１０５の周波数同調を制御する。
【００１９】
[00025]周波数制御された出力１０８によって提供されるロックされた信号は、第２の増幅器１２６に結合され、次いで複数のミリ波周波数を出力する周波数乗算器１２７に結合され、それが次いで、第３の増幅器１２８に結合される。第３の増幅器１２８によって出力された信号は次いで、対象１５０の表面１５１に向かうミリ波信号の送信のために、アンテナ１３４へと誘導される部分に分離される。
【００２０】
[00026]図１はまた、アンテナ１３４によって送信される前のミリ波信号振幅を増幅または分割する、オプションの能力を提供するための、制御ユニット１３０によってレベル制御される第１の可変減衰器１３１、および第４の増幅器１３２を示す。アンテナ１３４は、単一のアンテナとして示されているが、当技術分野で知られるように、アンテナは、別々の送信アンテナおよび受信アンテナとして、具体化されてもよい。送信されるレーダー信号および反射されたレーダー信号について、別々のレーダーアンテナを使用することは可能であるが、送信ならびに受信のために同じレーダーアンテナを使用するのが一般的なやり方である。レーダーシステム１００は、送信されるレーダー信号と、受信されるレーダー信号との間の時間差Δｔを、間接的に計測することができる。送信されるレーダー信号の速度が既知である場合、液体の表面までの距離は、好適な計測手段を使用して、単純なやり方で判定され得る。表面１５１は、入射ミリ波信号に応答して、反射された（または拡散された）信号リターンを提供する。
【００２１】
[00027]システム１００はまた、ダイオードベースのデバイスによって提供されるような混合出力を含む周波数混合器１４０を含む。当技術分野で知られるように、周波数混合器１４０は、２つの異なる周波数をその入力において受け入れ、入力信号の周波数の合計、入力信号の周波数間の差、および両方の元の入力周波数を含む、いくつかの周波数における信号の混合をその出力において提示する、非線形の、または時間変化する回路もしくはデバイスである。
【００２２】
[00028]周波数混合器１４０は、検出される対象１５０からの信号リターンを、第３の増幅器１２８の後に分離されたミリ波信号の一部と混合する。制御ユニット１３０によって制御される第２の可変減衰器１４１、および第５の増幅器１４２が、分離によって提供されたＵＷＢミリ波信号の部分を増幅または分割する、オプションの能力を提供する。システム１００の動作中、離散したミリ波周波数ごとに、ＰＬＬ１１５は、短い時間をかけて安定したコヒーレントな出力信号を確立し、その一部が周波数混合器１４０に結合されて、検出される対象１５０からの信号リターンと混合される。周波数混合器１４０によって提供される目的の周波数は、アンテナ１３４によって送信されるミリ波信号と比較すると、信号リターン（すなわち、反射信号）の位相シフトから生じる、一般的に非常に低い周波数（たとえば、ＤＣ信号）における差信号である。ローパスフィルタ１４９が、低い周波数差信号を通し、周波数混合器１４０によって出力された他の信号を遮断する。
【００２３】
[00029]当技術分野で知られるように、非常に高い周波数動作は、非常に小さなサイズのアンテナを可能にする。一般に、アンテナが送信機により生成された信号に適合する限り、特別なアンテナは必要ない。アンテナと組み合わせられたフランジ（図示せず）が、凝結を抑制し、一定の安全な関係（たとえば、気密にする）を満たすように設計されてもよい。ミリ波信号によって可能にされる小さなサイズのアンテナの利点は、アンテナが、一般的に、容器、コンテナ、およびタンクのさまざまな市販のノズルの中に収まり得ることである。たとえば、特定の一実施形態では、レドームとアンテナとを合わせて、５９ミリの横方向寸法、および４５ミリの全長を有することができる。
【００２４】
[00030]入力信号振幅を調節してオフセット残留を取り除くための、信号調整器１４３によるオプションの信号調整と、第６の増幅器１４７による増幅との後で、低い周波数の信号は、アナログデジタル変換器（ＡＤＣ）１６０によってデジタル化される。ＡＤＣ１６０の出力は、処理ユニット１６５に結合される。処理ユニット１６５は、逆ＦＦＴなどのデジタル信号処理を実行して、混合器１４０からの個々のミリ波周波数のそれぞれに関連付けられた、デジタル化された低い周波数の信号を処理することができる。処理ユニット１６５は、処理された低い周波数差信号から、対象１５０の表面１５１からの距離、レベル、またはシグネチャなどの範囲情報を判定することができる。
【００２５】
[00031]図２Ａおよび図２Ｂは、本発明の実施形態による、構造的かつ防水性の囲いを提供するハウジング２１０を有する、例示的なＵＷＢミリ波レーダーシステム２００の断面図および上面図を示す。システム２００は、図１に示されるシステム１００の構成要素に基づくことができる。レドーム２１４は、耐化学性のためのＰＴＦＥ様の材料を含むことができる。レドーム２１４と合わせたハウジング２１０は、中の電子機器が水、化学薬品、および他の液体により損傷されるのを防ぎ、ＥＭＣ準拠のための不要な放射を遮蔽し、危険なエリアでの使用についてのＡＴＥＸ安全性要件に準拠し、気体および蒸気がハウジング内部のチャンバに入るのを防ぐことができる。レドーム２１４により見られる局面形状は、凝結、および一般にタンク内部に存在する汚染に対処することができる。
【００２６】
[00032]ハウジング２１０は、図２Ａに示されるような複数のゾーン、または「部屋」２１１、２１２、２１３に分割されているのが見られる。部屋は、ミリ波前端ユニットおよびＤＳＰボードを含む第１の部屋と、本質安全（Ｉ．Ｓ．）ではない電力および通信ボードを含む第２の部屋と、ＰＴ１００温度プローブもしくは圧力伝送器などの外部センサ、またはデジタルディスプレイのためのＩ．Ｓ．ボードを含む第３の部屋とを含むことができる。第２および第３の部屋は、単一の部屋に一体化されてもよい。
【００２７】
[00033]上記では、位相シフトに基づいて、距離、レベル、またはシグネチャを判定することが説明されたが、当業者は、本発明の実施形態とおしなべて使用されてよい他の方法の実施を可能にするように、システム１００が変更され得ることを認識するであろう。たとえば、国際出願公開ＷＯ２００９０３１８８４に開示されるように、送信された信号と受信された（すなわち反射された）レーダー信号との間の位相差Δψが判定されてもよく、その値がレベル距離Ｌを判定するための基礎を形成することができる。
【００２８】
[00034]上記で説明されたように、提供される高い距離分解能は、高い帯域幅に基づく。さらなる利点は、短い掃引時間であり、これにより、タンク内の液面の素早い動きに関わる用途について、短時間の容器の水増しおよび／または排出など、急激に変わりやすい状態の間の後で、計測を綿密に行うことができる。
【００２９】
[00035]本明細書において開示された実施形態の適用は、レベル測定にとどまらない。たとえば、速度計測および対象認識は、ほんの数例にすぎない。
実施例
[00036]本発明の実施形態が、以下の特定の実施例によりさらに説明されるが、これらの実施例は、本発明の実施形態の範囲または内容をいかなる形でも制限するように解釈されるべきではない。
【００３０】
[00037]図１に示されるシステム１００に類似した、プロトタイプのＷ帯域レーダー測定器システムが構築され、一連のデモンストレーションにおいてそのパフォーマンスが評価された。アンテナによるミリ波部分とアンテナレドームの両方は、（プロセッサの用の）ＤＳＰ、複合プログラマブルロジックデバイス（ＣＰＬＤ）、およびＰＬＬを備えた制御ボードに一体化された。加えて、ＲＳ２３２、およびさまざまな部品へのオンボードの電源供給が、制御ボード上に実装された。外部接続は、６Ｖの電源供給およびＲＳ２３２通信線のみを含んだ。レーダーシステムパラメータは、ＰＣにより、ＲＳ２３２通信を通して構成された。システムは、金属接地面（タンク壁）の上１．５メートルに設置された。
【００３１】
[00038]これは、制御回路を含むＰＬＬが、ミリ波帯域において、≧４ＧＨｚの帯域幅レーダーを制御するのに使用された初回であると考えられる。レーダーシステムは、５１ミリ秒以内に４ＧＨｚ帯域幅を掃引することがわかった。上で説明されたように、信号源から生成された周波数は、ＰＬＬ制御技術によって制御される。２つの異なるＰＬＬ技術、すなわち、フラクショナルおよびインテジャーが、デモンストレーションにおいて実装された。
【００３２】
[00039]図３は、タンク壁の上部に取り付けられた、本発明の実施形態によるミリ波レーダーシステムをテストするために用いられた計測装置３００の概略図である。レーダーシステム３２０は、ターゲット３４０に向けられた。レーザー基準器３５０もまた提供された。
【００３３】
[00040]図３に示された装置３００から取得された結果が、図４Ａ〜５Ｂを参照して以下で説明される。図４Ａは、計測間での可変ステップ、第１：ステップにつき３ミリ、第２：ステップにつき４０ミリ、第３：ステップにつき３ミリ、および第４：ステップにつき４０ミリにおいて、ターゲット３４０がどのように動くかを示す。図４Ｂは、ターゲット３４０の動きが、レーダーシステムによってどのように検出され、追跡されるかを示す。
【００３４】
[00041]図５Ａは、現行のレーダーシステムの距離分解能よりも約２倍から４倍よい、約４センチメートルの非常に高い距離分解能により、９．５７メートルにおいて検出された対象を示す。図５Ｂは、４ＧＨｚＢＷを有するレーダーシステムによって計測された処理データから取得された結果を示す。図５Ｂは、＋／−８ミリよりもよいサブミリ精度を証明する。測定された精度は、高性能レーザーの精度に匹敵するが、システムは、比較的安価で構成可能である。
【００３５】
[00042]デモンストレーションに基づいて、タンク壁の影響に対処するすぐれたパフォーマンスが実証された。大きな金属面のそば１．５メートルに設置されたレーダーでは、他のレーダーであれば通常被る、レーダーに課せられることになる計測可能なタンク壁の影響が見られなかった。取得されたレーダー測定精度は、上記で説明されたハードウェアおよび変調技術に加えて、主にＵＷＢのために、非常に高かった。上記で説明されたように、ミリ波（高い周波数）動作は、より小さなアンテナサイズ、ならびに小型化された送信機および受信機を可能にする。
【００３６】
[00043]本発明のさまざまな実施形態が上記で説明されてきたが、これらは、限定ではなく、例としてのみ提示されていることが理解されるべきである。開示された実施形態の趣旨または範囲から逸脱することなく、本明細書における開示に従って、開示された実施形態に対する多数の変更が行われてよい。したがって、本発明の実施形態の広さおよび範囲は、上で明示的に説明された実施形態のいずれによっても限定されるべきではない。むしろ、そのような実施形態の範囲は、以下の特許請求の範囲、およびその均等物に従って定義されるべきである。
【００３７】
[00044]本発明の実施形態が、１つまたは複数の実装形態に関して図示され、説明されてきたが、当業者であれば、同等の変更形態および修正形態が、本明細書および添付の図面を読み、理解するときに思い浮かぶであろう。加えて、特定の特徴が、いくつかの実装形態のうちの１つのみに関して開示されている場合があるが、そのような特徴は、任意の与えられた、または特定の用途について、所望され、かつ有利となり得るように、他の実装形態の１つまたは複数の他の特徴と組み合わされてもよい。
【００３８】
[00045]本明細書において使用される術語は、特定の実施形態のみを説明する目的のためのものであり、それが本発明の実施形態に制限を設けることは意図されない。本明細書において使用されるとき、単数形である「ａ」、「ａｎ」、および「ｔｈｅ」は、文脈が別段明確に指示しない限り、複数形を同様に含むことが意図される。さらに、用語「含む（ｉｎｃｌｕｄｉｎｇ、ｉｎｃｌｕｄｅｓ）」、「有する（ｈａｖｉｎｇ、ｈａｓ）」、「備えた（ｗｉｔｈ）」、またはその変形が、詳細な説明および／または特許請求の範囲のいずれかで使用される限りでは、そのような用語は、用語「含む、備える（ｃｏｍｐｒｉｓｉｎｇ）」と同じように包括的であることが意図される。
【００３９】
[00046]別段定義されない限り、本明細書において使用されるすべての用語（技術的および科学的な用語を含む）は、本発明の実施形態が属する技術分野の当業者によって一般に理解されるのと同じ意味を有する。一般に使用される辞書において定義されるような用語は、関連技術の文脈におけるそれらの意味と一貫する意味を有するように解釈されるべきであり、本明細書においてそうであると明確に定義されない限り、理想化された、または過剰に形式的な意味において解釈されないということが、さらに理解されるであろう。
【００４０】
[00047]本開示の要約は、読者が技術的な開示の本質を素早く確認できることを要約に求める、３７Ｃ．Ｆ．Ｒ．§１．７２（ｂ）に準拠して提供される。要約は、以下の特許請求の範囲または意味を解釈する、または限定するために使用されるのではないという理解を有して提出される。
【図１】
2013510295.tif 000003
【図２Ａ】
2013510295.tif 000004
【図２Ｂ】
2013510295.tif 000005
【図３】
2013510295.tif 000006
【図４Ａ】
2013510295.tif 000007
【図４Ｂ】
2013510295.tif 000008
【図５Ａ】
2013510295.tif 000009
【図５Ｂ】
2013510295.tif 000010
【手続補正書】
【提出日】平成24年8月21日(2012.8.21)
【手続補正１】
【補正対象書類名】特許請求の範囲
【補正対象項目名】全文
【補正方法】変更
【補正の内容】
【特許請求の範囲】
【請求項１】
制御入力（１０６）、ギガヘルツ（ＧＨｚ）信号出力（１０７）、および複数の周波数制御された信号を提供する周波数制御された出力（１０８）を有する信号源（１０５）と、
前記ＧＨｚ信号出力と前記制御入力との間に結合された制御ループ（１４６）であって、
（ｉ）周波数分割された信号を生成するために、前記ＧＨｚ信号出力に結合された周波数分割器（１１０）、ならびに
（ｉｉ）前記周波数分割器の出力に結合された第１の入力（１１６）、デジタル制御信号を受信するための第２の入力（１１７）、基準周波数信号を受信するための第３の入力（１１８）、および、前記信号源の前記制御入力に結合されたロックされた出力（１１９）であって、前記デジタル制御信号によって周波数掃引された、または周波数ホップされた周波数ロックされた出力信号を提供するロックされた出力（１１９）を有する位相ロックループ（ＰＬＬ）（１１５）
を含む制御ループ（１４６）と、
前記デジタル制御信号を前記ＰＬＬの前記第２の入力に提供するための制御ユニット（１３０）と、
前記信号源の前記周波数制御された出力に結合された周波数乗算器（１２７）であって、複数のミリ波周波数を出力する周波数乗算器と、
前記複数のミリ波周波数を、応答信号を送られるべき表面（１５１）に送信するための、かつ前記表面から反射信号を受信するための少なくとも１つのアンテナ（１３４）と、
前記表面からの前記反射ミリ波信号と前記複数のミリ波周波数とを混合するための混合器（１４０）であって、混合出力を提供する混合器と、
前記混合出力からの前記表面に関連した少なくとも１つのパラメータを判定するために、前記混合器の出力に結合された信号処理回路（１６５）と
を含む超広帯域（ＵＷＢ）ミリメートル（ミリ）波レーダーシステム（１００）。
【請求項２】
前記制御ループ（１４６）が、前記ＰＬＬ出力（１１９）と前記信号源の前記制御入力（１０６）との間に接続された第１の増幅器（１２５）であって、増幅されたＰＬＬ出力信号を生成するために前記周波数ロックされた出力信号を増幅するための第１の増幅器をさらに含む請求項１に記載のシステム。
【請求項３】
前記ＰＬＬの前記第３の入力（１１８）に結合されており、前記基準周波数信号を前記ＰＬＬに提供する基準周波数源（１２２）であって、水晶発振器、または内部のＰＬＬロックされたクロックと一体化された発振器を含む基準周波数源をさらに含む請求項１に記載のシステム。
【請求項４】
対象の表面までのレベルまたは距離を判定するための周波数変調ＵＷＢミリメートル波レーダー方法であって、
複数の離散した、ステップされたまたはホップされた周波数ミリ波レーダー信号を前記対象の前記表面に送信するステップであって、前記複数のステップされたまたはホップされた周波数ミリ波レーダー信号の帯域幅が＞２ＧＨｚである、送信するステップと、
時間シーケンスにおいて前記表面から反射された、反射ミリ波レーダー信号を受信するステップと、
前記複数の離散した、ステップされたまたはホップされた周波数ミリ波レーダー信号、および前記反射ミリ波レーダー信号のうちのそれに対応するものに基づいて、前記レベルまたは距離を判定するステップと
を含む方法。
【請求項５】
デジタル制御されたＰＬＬが、前記帯域幅にわたって周波数掃引を制御する請求項４に記載の方法。
【請求項６】
前記判定するステップが、前記複数の離散した、ステップされたまたはホップされた周波数ミリ波レーダー信号と、前記反射ミリ波レーダー信号のうちのそれに対応するものとの間の周波数の差に基づく請求項４に記載の方法。
【国際調査報告】
2013510295.tif 000011
2013510295.tif 000012